(57)【特許請求の範囲】
【請求項１】
ロール状に巻き取られた筒状フィルムのフィルムロールと、このフィルムロールから引き出されたフィルムに対して略直角方向に往復運動して引き出された上記フィルムをその長手方向に対して直角方向に溶着するシール刃と、上記シール刃を上記フィルムを介して受ける受けパッドと、上記受けパッド近傍に設けられ上記受けパッドに対して突没自在のフィルムカッターと、上記フィルムの引き出し方向に沿って上記フィルムカッターよりも下流側に設けられ上記フィルム進行方向に対して略直角に突出するフィルム係合部が設けられ、上記フィルムカッターには、上記フィルムをその長手方向に対して直角方向に切断する切断刃と、上記切断刃により切断部の延長上に切り残し部を形成する切欠刃と、上記受けパッドを通過して上記フィルムを切断する作動位置へ付勢する付勢手段と、上記付勢手段に抗して上記フィルムカッターを係止し上記作動位置へ突出しない待機位置に保つフィルムカッターフックが設けられ、上記フィルムカッターと対向して上記シール刃を保持したシールフレームが上下動自在に設けられ、上記シールフレームには、上記フィルムカッターフックと上記フィルムカッターとの係合を解除して上記待機位置から上記作動位置へ突出可能にする解除部材と、上記フィルムカッターを上記作動位置から上記待機位置へ押し戻すリセット部材が設けられ、上記フィルムは上記フィルムカッターの作動により切り残し部と切断部が形成され、このフィルムの切断部に上記フィルム係合部が係合して上記フィルムを切断可能に設けられたことを特徴とする製袋装置。
【請求項２】
ロール状に巻き取られた筒状フィルムのフィルムロールと、このフィルムロールから引き出されたフィルムに対して略直角方向に往復運動して引き出された上記フィルムをその長手方向に対して直角方向に溶着するシール刃と、上記シール刃を上記フィルムを介して受ける受けパッドと、上記受けパッド近傍に設けられ上記受けパッドに対して突没自在のフィルムカッターと、上記フィルムの引き出し方向に沿って上記フィルムカッターよりも下流側に設けられ上記フィルム進行方向に対して略直角方向に突出するフィルム係合部が設けられ、上記フィルムカッターには上記フィルムにミシン目を形成する刃と、上記受けパッドを通過して上記フィルムを切断する作動位置へ付勢する付勢手段と、上記付勢手段に抗して上記フィルムカッターを係止し上記作動位置へ突出しない待機位置に保つフィルムカッターフックが設けられ、上記フィルムカッターと対向して上記シール刃を保持したシールフレームが上下動自在に設けられ、上記シールフレームには、上記フィルムカッターフックと上記フィルムカッターとの係合を解除して上記待機位置から上記作動位置へ突出可能にする解除部材と、上記フィルムカッターを上記作動位置から上記待機位置へ押し戻すリセット部材が設けられ、上記フィルムは上記フィルムカッターの作動によりミシン目状に切断部が形成され、このフィルムの切断部に上記フィルム係合部が当接して上記フィルムを切断可能に設けられたことを特徴とする製袋装置。
【発明の詳細な説明】
【０００１】
【発明の属する技術分野】
この発明は、各種の商品等を入れる袋状のものを作る製袋装置に関する。
【０００２】
【従来の技術】
従来、店頭で豆腐や野菜などを入れる合成樹脂フィルム製の袋があった。このような袋は、長い筒状のフィルムに所定間隔で溶着部が形成されたものから切り取った袋でありで、溶着部は長手方向に対してほぼ直角に設けられ、溶着部の近傍に溶着部と平行に切断用の破断線がほぼ等間隔に設けられ、この破断線から切り離した部分が袋となっていた。
【０００３】
そしてこの筒状のフィルムをロール状に巻き取ったフィルムロールとし、店頭に設置したりしていた。使用に際しては、使用者はこのフィルムをフィルムロールから引き出し、破断線で切断して袋とし中に商品を入れて使用していた。
【０００４】
【発明が解決しようとする課題】
上記従来の技術の場合、ロール状に巻かれたフィルムの溶着部の間隔は一定で袋の大きさは決まっているため、長い野菜や細かい食品を入れるときは、袋の深さが足りず不便であった。また、細かいものを入れる場合は袋が大きすぎたりして、無駄が生じていた。
【０００５】
この発明は上記従来の問題点に鑑みてなされたものであり、簡単な構成で、入れるものの長さに合わせて深さを容易に変えることができる製袋装置を提供することを目的とする。
【０００６】
【課題を解決するための手段】
この発明は、ロール状に巻き取られた円筒状フィルムのフィルムロールと、このフィルムロールから引き出されたフィルムに対して略直角方向に相対的に往復運動するシール刃と、上記シール刃を上記フィルムを介して受ける受けパッドと、上記受けパッド近傍に設けられ上記受けパッドに対して相対的に突没自在のフィルムカッターと、上記フィルムの引き出し方向に沿って上記フィルムカッターよりも下流側に設けられ上記フィルム進行方向に対して略直角に突出するフィルム係合部が設けられている製袋装置である。上記フィルムカッターには、上記フィルムを切断する切断刃と上記フィルムに切り残し部を形成する切欠刃が形成され、上記フィルムは上記フィルムカッターの切断動作により切断部と切り残し部が形成され、このフィルムの切断部に上記フィルム係合部が係合可能に設けられている製袋装置である。
【０００７】
さらに、上記フィルムカッターには、上記フィルムをその長手方向に対して直角方向に切断する切断刃と、上記切断刃により切断部の延長上に切り残し部を形成する切欠刃と、上記受けパッドを通過して上記フィルムを切断する作動位置へ付勢する付勢手段と、上記付勢手段に抗して上記フィルムカッターを係止し上記作動位置へ突出しない待機位置に保つフィルムカッターフックが設けられ、上記フィルムカッターと対向して上記シール刃を保持したシールフレームが上下動自在に設けられ、上記シールフレームには、上記フィルムカッターフックと上記フィルムカッターとの係合を解除して上記待機位置から上記作動位置へ突出可能にする解除部材と、上記フィルムカッターを上記作動位置から上記待機位置へ押し戻すリセット部材が設けられているものである。
【０００８】
またこの発明は、上記と同様のフィルムカッターを有し、上記フィルムの引き出し方向に沿って上記フィルムカッターよりも下流側に設けられ上記フィルム進行方向に対して略直角方向に突出するフィルム係合部が設けられ、上記フィルムカッターにはフィルムにミシン目を形成する刃が形成され、上記フィルムは上記フィルムカッターによりミシン目状に切断部が形成され、このフィルムの切断部に上記フィルム係合部が当接して上記ミシン目状の切断部に沿って上記フィルムを切断可能に設けた製袋装置である。
【０００９】
この発明の製袋装置は、シールフレームを作動させることにより、フィルムに溶着部と、切断部と切り残し部が形成された切り離し線が形成されるものである。そして、フィルムを引き出し、切断部にフィルム係合部を差し込み、この状態でさらにフィルムを引っ張ると切り残し部が破断し、この切り離された部分が袋となるものである。
【００１０】
【発明の実施の形態】
以下、この発明の実施形態について図面に基づいて説明する。図１〜図６はこの実施形態の製袋装置１０を示すもので、製袋装置１０は外側を構成する本体１２が設けられ、本体１２の上には一対のローラ１４を介してロール状に巻き取られた筒状フィルム１６のフィルムロール１７が載置されている。ローラ１４はフィルム１６の回転にあわせて自由に回転する。
【００１１】
本体１２には、フィルムロール１７から引き出されたフィルム１６を支持する一対の板状の受けパッド１８が、フィルム１６の引き出し方向である長手方向に対して直角に設けられている。一対の受けパッド１８は、さらに一対の細板状の支持部材２０上に直交して取り付けられている。各支持部材２０は、各々一対の受けパッド支持バネ２２により、本体１２の内側に位置するほぼ水平な基材２４に垂直方向に移動可能に取り付けられている。
【００１２】
一対の受けパッド１８の間には、受けパッド１８に対して平行に位置する鋸歯状のフィルムカッター２６が設けられている。フィルムカッター２６は、両端部が受けパッド１８よりも水平方向に長く形成され、この両端部は受けパッド１８の両端部から側方へ突出している。フィルムカッター２６の所定位置には、一対の縦長の透孔２８が形成され、各透孔２８には受けパッド２２の支持部材２０が各々直角に挿入されている。透孔２８は、支持部材２０よりも垂直方向に長く形成され、支持部材２０は相対的に透孔２８の内側を垂直方向に移動可能である。そして、フィルムカッター２６の、受けパッド１８両端部のわずかに外側には、後述するフィルムカッターフック４２が係止される透孔３７が各々形成されている。
【００１３】
また、フィルムカッター２６は、複数のフィルムカッター駆動バネ３０により本体１２の内側に位置するほぼ水平な図示しない構造材に垂直方向に移動可能に取り付けられている。フィルムカッター２６は、垂直方向上端部に切断刃３２が形成され、切断刃３２の中央付近には複数個例えば４個の切欠刃３４が互いに隣接して形成されている。なお、この切欠刃３４は、フィルム１６に切り残り部を部分的に形成して切断するものであればよくその形状は問わない。
【００１４】
本体１２の基材２４には、受けパッド１８の両端部付近に、ほぼ垂直でさらにフィルムカッター２６に対してほぼ直角に位置する立上片３６が取り付けられている。立上片３６の側面には、取付部材３８を介して突起部４０が設けられ、突起部４０は受けパッド１８の支持部材２０の長手方向に対して平行方向に長い矩形の部材である。
【００１５】
そして、立上片３６表面には、フィルムカッターフック４２が取付部材３８を介して図示しない取付手段で取り付けられている。フィルムカッターフック４２の中央には、突起部４０が嵌合して摺動可能位置する透孔４４が形成され、このフィルムカッターフック４２は、取付部材３８に対して突起部４０の長手方向に摺動可能に設けられている。なお、透孔４４は突起部４０よりも長く形成され、フィルムカッターフック４２は突起部４０が透孔４４内壁に当たる位置まで往復運動が可能である。
【００１６】
そして、フィルムカッターフック４２は、突起部４０との間に引っ張りバネ４６が設けられ、図２において左方向に付勢されている。フィルムカッターフック４２の図面上で左側端部は、フィルムカッター２６の透孔３７に差し込まれる先細の突部４８が形成されている。
【００１７】
また、受けパッド１８に対向する上方にはシールフレーム５０が設けられ、シールフレーム５０は、フィルムカッター２６の幅とほぼ等しい幅を有し、フィルムカッター２６に対して平行に設けられている。そして、シールフレーム５０は、本体１２の内側に設けられているシール駆動部材としての、例えばシール駆動モータ５２により駆動されている。シール駆動モータ５２には、図３に示すように偏心軸５４が設けられ、シールフレーム５０には偏心軸５４が差し込まれる溝カム５６が固定され、溝カム５６の溝５６ａは水平方向に長い直線で形成されている。また、シールフレーム５０の両端部には後述するリセットカム６０が取り付けられるピン５７が各々形成されている。
【００１８】
本体１２の内側の基材２４には、ピン５７に対向する位置に立上片５８が設けられ、立上片５８の側面の上端部付近には、軸５９を介して揺動可能にリセット部材であるリセットカム６０がシールフレーム５０に対して平行に設けられている。リセットカム６０には、ピン５７が差し込まれるカム溝６２が形成され、カム溝６２はほぼ垂直方向でカム溝６２の下端部がわずかにシールフレーム５０の内側に近づく方向へ傾いて形成されている。リセットカム６０の側縁部は、位置によって軸５９からの距離が変化しており、軸５９よりもシールフレーム５０外側に位置する側縁部６０ａは軸５９からの距離が短く、軸５９よりもシールフレーム５０内側に位置する側縁部６０ｂは軸５９からの距離が長く形成されている。そして、リセットカム６０は、フィルムカッター２６の両端部の受け部２６ａに側縁部６０ａ，６０ｂのカム面が当接している。
【００１９】
シールフレーム５０の下端部には、フィルム１６の進行方向上流側の受けパッド１８ａに当接するフィルム押さえ板６４と、下流側の受けパッド１８ｂに当接するシール刃６６が設けられている。シール刃６６は図示しない電気抵抗体等の加熱手段が設けられ、シール刃６６とシールフレーム５０の間には断熱材６８が設けられている。フィルム押さえ板６４とシール刃６６の両端部よりわずかに内側には、一対の細くて薄い板状の解除部材であるフィルムカッタースタータ７０が設けられている。フィルムカッタースタータ７０はシール刃６６とフィルム押さえ板６４よりも長く形成され、フィルムカッター２６と受けパッド１８ａの中間地点の上方に位置している。
【００２０】
本体１２の、受けパッド１８とフィルムカッター２６を挟んでフィルムロール１７と反対側に位置する端部には、フィルム１６を取り出す取出台７２が設けられ、取出台７２にはフィルム１６を押さえるロール７４が回転自在に設けられている。取出台７２の先端に位置する本体１２の側面には、フィルム１６を引っかけてカットする一対のフィルム係合部であるバッグセパレータ７６が設けられている。バッグセパレータ７６は、図４に示すようにコの字状に折り曲げられた板部材で、上端部は取出台７２の上面よりも高い位置に達している。
【００２１】
次にこの実施形態の製袋装置１０の動作について説明する。まず、フィルムカッター２６は、一対の受けパッド１８よりも低い待機位置で、フィルムカッターフック４２により係止されている。また、リセットカム６０の側縁部６０ｂはフィルムカッター２６の上端面に当接し、フィルムカッター２６を押さえている。
【００２２】
この状態で、フィルムロール１７から引き出されたフィルム１６は、一対の受けパッド１８の上を通過し、取出台７２から外側に所望の長さを引き出される。そして、シール駆動モータ５２を一回転させると、偏心軸５４が円運動し、偏心軸５４は溝カム５６の溝５６ａ内を一往復し、それに伴い溝カム５６に固定されているシールフレーム５０を上下に一往復させる。
【００２３】
そこで先ず、シールフレーム５０が下降するとき、フィルム押さえ板６４とシール刃６６はフィルム１６を介して受けパッド１８に当接し、フィルム１６を保持すると同時にシール刃６６によりフィルム１６に溶着部７８を形成する。このときシールフレーム５０のストロークは終端に達していない。また同時に、リセットカム６０は軸５９を中心に回転し、リセットカム６０の当接面は側縁部６０ｂから６０ａに回動する。これによりフィルムカッター２６は、受けパッド支持バネ２２により上方に付勢され、軸５９に近い側縁部６０ａがフィルムカッター２６に対して平行に位置した状態まで上昇する。ここで、フィルムカッター２６はリセットカム６０による押さえが解除されるが、フィルムカッター２６はフィルムカッターフック４２の突部４８がフィルムカッター２６の透孔３７に差し込まれて係止されているため、待機位置に保持される。
【００２４】
シールフレーム５０のストロークがさらに終端に近づくと、シールフレーム５０のシール刃６６とフィルム押さえ板６４に当接した受けパッド１８を介して、受けパッド支持バネ２２が圧縮されて、受けパッド１８が下降する。これとともに、フィルムカッタースタータ７０の先端が、フィルムカッターフック４２の突部４８の上端部に当接する。突部４８の上端部は図２の紙面右上がりに傾斜しているため、フィルムカッターフック４２は図面上で右側に押され、バネ４６が引っ張られてフィルムカッターフック４２が移動する。そして、フィルムカッター４２の突部４８はフィルムカッター２６の透孔３７から外れ、フィルムカッター２６はフィルムカッター駆動バネ３０により上方の作動位置に押し出され、フィルム１６に切断部８０を形成する。このとき、フィルムカッター４２の刃３２には切欠刃３４が設けられているため、切欠刃３４の間の部分には切り残し部８２が生じる。
【００２５】
そして、シールフレーム５０がストロークの終端に達したとき、解放されたフィルムカッター４２の受け部２６ａは、リセットカム６０の側縁部６０ａに当接して止まっている。
【００２６】
次にシールフレーム５０が上昇すると、フィルムカッタースタータ７０がフィルムカッターフック４２から離れ、フィルムカッターフック４２はバネ４６により引っ張られてフィルムカッター２６の側面に当接する。
【００２７】
そして、シールフレーム５０が上昇するとき、リセットカム６０が回転し、リセットカム６０の側縁部６０ａから側縁部６０ｂに当接部が回動するに従い、フィルムカッター２６が押し下げられる。フィルムカッター２６の透孔３７がフィルムカッターフック４２に対向する位置に戻ったとき、フィルムカッターフック４２の突部４８はバネ４６により引き出されて透孔３７に差し込まれ、フィルムカッター２６を係止する。
【００２８】
このように、シールフレーム５０の１ストロークでフィルム１６には、図５に示すように溶着部７８と切断部８０、切り残し部８２が形成される。そしてフィルム１６を引き出すと、このときバッグセパレータ７６の先端は取出台７２よりも高い位置にあるためフィルム１６表面に当接している。そしてバックセパレータ７６のところに切断部８０が位置すると、フィルム１６には引っ張り力がかかっているため、バッグセパレータ７６が切断部８０に差込まれる。この状態で、強くフィルム１６を引き出すと、フィルム１６のフィルムロール１７側はバックセパレータ７６に引っ掛かり、切り残し部８２が破断され、図６に示すように切り離されたフィルム１６は袋８４となる。フィルムロール１７に連続しているフィルム１６の端部は本体１２の取出台７２に残っている。
【００２９】
なお、フィルムカッター２６の刃３２に設けられている切欠刃３４は、刃３２の中央ではなく中央をはさんで両脇に設けられてもよい。このようなフィルムカッター２６によれば、図７に示すようにフィルム１６の中央に切断部８０が設けられ、切断部８０の両端部に切り残し部８２が設けられる。このような切断部８０が設けられているフィルム１６の場合、バッグセパレータ７６は本体１２側面の中央に一個設けられている。そして、フィルム１６を引き出すとき、バッグセパレータ７６のところに切断部８０がくるとフィルム１６は引っ張り力がかかっているため、図８に示すようにバッグセパレータ７６が切断部８０の中に差し込まれる。さらに強くフィルム１６を引き出すと切り残し部８２がちぎれ、切り離されたフィルム１６は袋８４となる。ここで、袋８４の深さを調節するには、フィルムカッター２６から引き出したフィルム１６の長さを調節することにより行う。
【００３０】
この実施形態の製袋装置１０によれば、中に入れるものの長さに合わせて深さを自由に設定して袋を作ることができ、深さの調節は、最初のフィルム１６の引き出し量を所望の量に調節するだけなので容易である。製袋作業は、シールフレーム５０を１サイクル作動させ、フィルム１６を引き出して切断するだけなので簡単である。さらに切断作業は、フィルム１６の切断部８０にバッグセパレータ７６を係止してフィルム１６を引っ張るだけなので、力がいらず便利である。また、フィルムロール１７から連続しているフィルム１６の端部は、本体１２の取出台７２に残っているため、次の製袋作業の際に取り出しやすいものである。
【００３１】
したがって、この製袋装置によれば、フィルムロール１７は、筒状のもので良くコストが安価であり、しかも製袋作業を現場で行うので適宜の大きさに合わせることができ、適用範囲がきわめて広いものである。
【００３２】
なお、この発明の製袋装置は、上記実施形態に限定されるものではなく、上記フィルム係合部はフィルム走行面から突出した山形状の部材でもよく、上記切り残し部が引っ掛かり切断可能なものであればよい。
【００３３】
さらに、上記フィルムカッターは、フィルムにミシン目を形成する刃が形成されたものでも良い。この場合、上記フィルムは上記フィルムカッターによりミシン目状に切断部が形成され、このフィルムのミシン目状の切断部に上記フィルム係合部が当接して、上記ミシン目状の切断部に沿って上記フィルムを切断する製袋装置である。
【００３４】
さらに、実施形態に限定されるものではなく、フィルムカッターの刃に設けられている切欠刃の位置や数等、適宜設定可能である。さらに、フィルムカッターフック等、各部品の形状も変更可能である。さらに、シール刃やフィルムカッターの駆動や係合動作は、適宜の駆動部材を選択可能なものであり、電気的、機械的な駆動装置を適宜組み合わせ可能である。
【００３５】
【発明の効果】
この発明の製袋装置は、円筒状の長いフィルムから、中に入れるものの長さに合わせてその深さを自由に設定して袋を作ることができ、種々の対象物の収納が可能であり、フィルムをむだなく利用できる。さらに、製袋作業はフィルムシートの所望の位置に、溶着部と、破断部と切り残し部が形成され、切り残し部を切断するだけなので簡単であり、次の製袋作業のためにフィルムは引き出された状態で切断され、作業性がよい。
【図面の簡単な説明】
【図１】  この発明の一実施形態の製袋装置の拡大正面図である。
【図２】  この実施形態の製袋装置の縦断面図である。
【図３】  この実施形態の製袋装置の内部構造の正面図である。
【図４】  この実施形態の製袋装置の内部構造の右側面図である。
【図５】  この実施形態の製袋装置の袋を切り離す状態を示す斜視図である。
【図６】  この実施形態の製袋装置の袋を切り離した後の状態を示す斜視図である。
【図７】  この実施形態の製袋装置の変形例のフィルムを引き出す状態を示す斜視図である。
【図８】  この実施形態の製袋装置の変形例の袋を切り離す状態を示す斜視図である。
【符号の説明】
１０  製袋装置
１２  本体
１６  フィルム
１７  フィルムロール
１８  受けパッド
２０  支持部材
２２  受けパッド支持バネ
２６  フィルムカッター
３０  フィルムカッター駆動バネ
３２  切断刃
３４  切欠刃
４０  突起部
４２  フィルムカッターフック
４４  透孔
４６  引っ張りバネ
４８  突部
５０  シールフレーム
５２  シール駆動モータ
５６  溝カム
６０  リセットカム
６４  フィルム押さえ板
６６  シール刃
７０  フィルムカッタースタータ
７２  取出台
７６  バッグセパレータ
【図１】
0004041614.tif 000002
【図２】
0004041614.tif 000003
【図３】
0004041614.tif 000004
【図４】
0004041614.tif 000005
【図５】
0004041614.tif 000006
【図６】
0004041614.tif 000007
【図７】
0004041614.tif 000008
【図８】
0004041614.tif 000009